(57)【要約】【課題】  貸機等の紙幣投入装置に投入された紙幣を高額紙幣に対して払出しボタンで分割してメダル払い出しできる貸機の機能を損なわずに効率的に紙幣を保管室へ搬送して安全に集中保管する。【解決手段】  各貸機１には、紙幣送出装置９を介してダクト２へ送り出し、同ダクト内にあるキャリア４によって送り出された紙幣を捕捉して移動して紙幣保管室３へ送り届ける。同貸機１の貸機コンピュータ１５には、投入した紙幣に対して初回投入時及び千円単位のメダル払い出しボタン操作でメダルを払出すとともに残高・紙幣受入・紙幣の投入時刻等のメモリを有し、島毎の管理コンピュータ１０の紙幣搬送順番決定ソフト部１０２は残高がなくなった貸機１の中で投入時刻が最も早い貸機１の紙幣をダクト２へ送り出して、キャリア４で紙幣保管室３へ送るように制御する。【選択図】図２１
2017186133.tif 000002
【特許請求の範囲】
【請求項１】
紙幣を投入するとその投入者に対し所定の商品・メダル又はサービスの提供が与えられるようにするための装置で、しかも投入した紙幣の金額の範囲内で払出ボタンの操作で所定の払出額に相当する商品・メダル又はサービスの提供を払出額単位で分割して行えるようにした複数の紙幣投入装置と、同紙幣投入装置の設置場所から離れた場所に設置される紙幣保管室と、前記の各紙幣投入装置で投入された紙幣を前記紙幣保管室まで安全に搬送する紙幣搬送装置からなる紙幣の搬送保管設備であって、
前記紙幣搬送装置は、紙幣を送れる紙幣通路を内部に形成した密閉のダクトを前記の複数の紙幣投入装置の設置位置に近い位置を経由して前記紙幣保管室の位置まで配設し、前記紙幣通路内に置かれて前記ダクトの内側ガイドによって案内されて紙幣通路に沿って前記紙幣保管室の前にあるダクト終端と上流のダクト始端との間をダクト内の送風流を受圧して推進されて下流方向及び上流方向のいずれの方向にも移動でき且つ紙幣通路途中に置かれた紙幣をその前方部分で捕捉できるキャリアを配置し、
又、前記紙幣投入装置に投入されて受入れられた紙幣をダクト側壁の狭い開口を介してダクト内の紙幣通路まで送り込む紙幣送出装置を各紙幣投入装置に備え、前記ダクトのダクト終端とダクト始端に移動しているキャリアを停止させるキャリア停止場を設け、前記ダクト終端のキャリア停止場に前記キャリアが捕捉した紙幣とキャリアとを分離して紙幣を前記紙幣保管室へ送り込む紙幣分離部を備え、ダクトの始端側及び終端側の各キャリア停止場それぞれにキャリアが停止しているか否かを確認するキャリアセンサーを設け、各キャリア停止場のキャリアを終端方向又は始端方向に送るための送風流をダクト内に発生させる送風装置を上・下流側のキャリア停止場それぞれに設け、前記紙幣投入装置には投入された紙幣の真偽を判断する紙幣真偽判断部と、小型の貸機コンピュータとを有し、同貸機コンピュータには同紙幣真偽判断部で眞札と判断した紙幣を受入れしていることを示す受入情報と，受入れられた紙幣の紙幣額情報と，投入された紙幣の額を初期の残高として紙幣の受入れ又は払出ボタンの操作毎に設定の払出額を減算した額の値を残高とする残高情報と，残高情報の残高の額が設定の払出額より小さくなると「残高なし」を出力する残高なしの情報と，紙幣を受入れした時刻である投入時刻情報とをその紙幣投入装置のＩＤと関連付けして記憶する記憶部とを備え、前記の各紙幣投入装置の記憶部の記憶情報と前記キャリアセンサーのキャリア検出情報とを入力して前記送風装置と紙幣送出装置とを制御し、各紙幣投入装置に受け入れた紙幣をダクトの紙幣通路内へ送り出す紙幣を決定する紙幣搬送順番決定ソフト部とを有する管理コンピュータを備え、同管理コンピュータは上流側のキャリアセンサーのキャリア検出情報によってキャリアが上流のキャリア停止場にあることを判断すると紙幣搬送順番決定ソフト部を作動させて紙幣搬送路に送り出す１枚の紙幣を決定してその紙幣の紙幣送出装置を作動させ、その後上流側の送風装置を作動させ、又キャリアをその送風流で下流方向に移動させ、その下流側のキャリア停止場に停止するとともにキャリアに捕捉された紙幣を紙幣分離部で分離してそのまま紙幣保管室へ送り込み、下流側のキャリア検出センサーのキャリア検出情報が入力された後所要秒後に下流側の送風装置を作動させてキャリアをその送風流によって上流方向へ移動させて上流側のキャリア停止場まで移動させる制御を行うことを繰り返して紙幣を１枚毎紙幣保管室へ送り届けることを特徴とする、紙幣の搬送保管設備。
【請求項２】
前記の紙幣搬送順番決定ソフト部は、上流側キャリアセンサーの「キャリア検出」の情報を受けて作動開始し、各紙幣投入装置の記憶部の受入情報が「紙幣受入」状態の情報を有する紙幣投入装置を検索し、検索されなければ所要時間おいて再度検索し、検索されれば検索された紙幣投入装置の記憶部の残高情報が「残高なし」となっているものがあるかを検索して「残高なし」が１台の紙幣投入装置の場合はその装置が受入した紙幣を紙幣通路へ送り込む紙幣と決定し、「残高なし」が複数台の紙幣投入装置にある場合はそれらの記憶部の投入時刻情報からその「投入時刻」が最も古い紙幣を紙幣通路に送り込む１枚の紙幣と決定するルーチンのプログラムを有するものである、請求項１記載の紙幣の搬送保管設備。
【請求項３】
前記の紙幣搬送順番決定ソフト部は、上流側キャリアセンサーの「キャリア検出」の情報を受けて作動開始し、各紙幣投入装置の記憶部の受入情報が「紙幣受入」状態の情報を有する紙幣投入装置を検索し、検索されなければ所要時間おいて再度検索し、検索されれば検索された紙幣投入装置の記憶部の残高情報が「残高なし」となっているものがあるかを検索して「残高なし」が１台の紙幣投入装置の場合はその装置が受入した紙幣を紙幣通路へ送り込む紙幣と決定し、「残高なし」が複数台の紙幣投入装置にある場合はそれらの記憶部の投入時刻情報からその「投入時刻」が最も古い紙幣を紙幣通路に送り込む１枚の紙幣と決定し、更に上記で「残高なし」の情報の紙幣投入装置のものが全くなければ「紙幣受入」情報の紙幣投入装置の記憶部の紙幣額情報の紙幣額が最も低い額の紙幣の一つを紙幣通路に送り込む紙幣と決定するルーチンのプログラムを有するものである、請求項１記載の紙幣の搬送保管設備。
【請求項４】
紙幣投入装置で投入できる紙幣が複数の紙幣額のものであって、その最も低い紙幣額を１，０００円とし、又払出ボタンの１回の操作で提供される払出額の値が１，０００円である、請求項１〜３いずれか記載の紙幣の搬送保管設備。
【請求項５】
紙幣が投入されて「紙幣受入」の状態になると紙幣投入装置は自動的に払出額相当の商品・メダル又はサービスの提供がなされ、残高は紙幣額から払出額を差し引いた額とするようにした、請求項１〜４いずれか記載の紙幣の搬送保管設備。
【請求項６】
前記紙幣分離部が下流側のキャリア停止場の下流側にキャリアの前方部分に捕捉した紙幣をその移動速度の慣性で紙幣保管室の入口まで移動することを誘導する紙幣ガイドを設けた構造である、請求項１〜５いずれか記載の紙幣の搬送保管設備。
【請求項７】
ダクト内の紙幣通路は紙幣の紙面の長辺を下にして垂直にして送る断面が縦長の空間であり、キャリアは前記縦長の空間に収まる縦長のプラスチック製で前方部分に垂直の紙幣を捕捉する左右にＶ字の羽根状に拡がった紙幣捕捉部を有し、又キャリアの後方部分に送風流を受圧できるＶ字の羽根状に拡がった受圧部を有する構造である、請求項１〜６いずれか記載の紙幣の搬送保管設備。
【発明の詳細な説明】
【技術分野】
【０００１】
遊技店の貸機，ゲーム機，交通切符販売機，自動販売機，娯楽施設の入場券購入機，両替機等には、紙幣が使用できるように紙幣投入装置の機能が付属され、投入される紙幣の真偽を判断して投入された紙幣の金額を表示している。これら機器の紙幣投入装置に紙幣が投入されると、その投入者に対して所要の商品・メダル又はサービスの提供がなされるようになっている。本願発明は、これら紙幣投入装置で投入された紙幣を安全の為又は勘定の為にその装置から離れた別の場所に設置された紙幣保管室（金庫等）に搬送して、これら紙幣保管室で紙幣を保管できるようにする技術に関する。
【背景技術】
【０００２】
従来、これらの紙幣投入装置の内部に投入された紙幣を一時保管するものがあるが、これでは投入された紙幣は紙幣投入装置の内部に蓄積され、高額の金額が格納される。そのため、不法行為者によって紙幣投入装置から紙幣が盗まれる犯罪が発生していた。又、紙幣投入装置に納まった紙幣を定期的に又は不定期的に取り出して安全な金庫・銀行等の場所へ運搬することはなされているが、これは手間・費用のかかることであり、又その取り出し・運搬途中に強盗にあう危険性もあった。
【０００３】
これを解消するため、紙幣投入装置に投入された紙幣を直ちに安全な場所へ搬送する装置が開発されてきた。
【０００４】
その一つとして、特許文献１の発明がある。この発明は、紙幣等の投入装置からの紙幣等の紙葉類を搬送する搬送管を設け、同搬送管内に円柱状の搬送補助体を配置し、同搬送補助体を搬送管内に送り込んだ空気流でもって移動させ、搬送管内に投入装置によって挿入された紙葉類を搬送補助体に当てて下流側へ送り込む装置である。
【０００５】
しかし、この特許文献１の発明では紙葉体が円柱状の搬送補助体によって確実に同行することが、紙葉体が搬送補助体との衝突で変形・変位し、又搬送管と搬送補助体との間の間隙・境界にからむ可能性があり、確実な紙葉類の搬送に問題がある。
【０００６】
又、他の方法として特許文献２の発明がある。送風管内に紙葉類を投入して送風管内の空気流で紙葉類を下流側へ搬送しようとする技術である。紙葉類と同行して強制搬送する剛体のキャリアを使用しない方法である。
しかし、空気流の空気力・乱流によって紙葉類が変形・変位すると、紙葉類が途中で詰ったり、送風管の管壁に吸着したりして、円滑に紙幣類を搬送できないという問題点がある。
【０００７】
上記引用文献１，２の発明の問題点を解決する発明を本出願人は開発して特許出願して特許され、引用文献３の特許公報として掲載された。
この引用文献３の発明は、貸機と紙幣保管室との間に紙幣通路を内部に有するダクトを配設し、貸機に投入された紙幣を紙幣送出装置でダクト内の紙幣通路内に送り込み、同紙幣通路に沿って移動するキャリアを配置し、同キャリアはダクトの始端・終端側に設置した送風装置によって紙幣通路に送風流を送り込み、キャリアはこの送風流を受圧して上流方向又は下流方向に移動可能とし、キャリアで紙幣通路の途中に送り出された紙幣を捕捉して終端でキャリアを減速・停止させて、その減速・停止によってキャリアが捕捉した紙幣をその移動速度の慣性でキャリアから分離移動させて紙幣保管室へ送り込むものである。これによって、紙幣の紙幣保管室へ高速移動可能にできた。
【０００８】
しかしながら、貸機の投入する紙幣としては千円，２千円，５千円，１万円の紙幣が使用される。投入される紙幣としては千円札が多いが、千円札では使えるゲーム時間が短く投入される紙幣枚数が多い。
【０００９】
又、貸機には投入した紙幣が２千円，５千円，１万円の場合、その紙幣金額に相当のメダル個数の全量を一括で払い出すことがなく、貸機にそれらの紙幣金額を一時預ける形態となっていて、これら紙幣が投入されると直ちに千円分のメダル個数を自動的に払い出し、又紙幣金額から千円を差し引いた金額が残高として記憶され、払出しボタンの１回の操作で千円単位分のメダルが払い出され、又残高も千円差し引いた額として記憶される。従って、２千円，５千円，１万円の紙幣が投入されると、払出しボタンを１回，４回，９回押すと千円単位でメダルが払い出されて残高が０円となる。ゲームを続行するため、遊技者は次の紙幣を貸機へ投入しなくてはならなくなる。最近の貸機にはこのような払出機能を有するため、投入した紙幣は直ちに回収されるものではない。このように、貸機に投入された紙幣をダクト内の紙幣通路に送り込む効率的な紙幣の送り込みの順番が期待されていた。
【００１０】
貸機に投入された紙幣の残高が０円となった残高０となった時刻の古い順に搬送するようにすると、千円札が投入されると直ちに残高が０円となって、千円札が優先的な搬送順位が与えられることとなり高額の紙幣の搬送順位が遅くなり、高額の紙幣を受け入れた貸機の次の紙幣の投入が遅れるという結果となるという問題点があった。
【先行技術文献】
【特許文献】
【００１１】
【特許文献１】特開２０１２−７６８７５号公報
【特許文献２】特開２００８−２６６０２７号公報
【特許文献３】特許第５７３９０３３号公報
【発明の概要】
【発明が解決しようとする課題】
【００１２】
本発明が解決しようとする課題は、従来の問題点を解消して貸機等の紙幣投入装置に投入された紙幣を高速度で紙幣保管室へ搬送させて安全に集中保管できるようにするとともに、払出しボタンがある紙幣投入装置の機能を活かしながら投入された紙幣の効率的な搬送を可能とすることにある。
【課題を解決するための手段】
【００１３】
かかる課題を解決した本発明の構成は、
１）  紙幣を投入するとその投入者に対し所定の商品・メダル又はサービスの提供が与えられるようにするための装置で、しかも投入した紙幣の金額の範囲内で払出ボタンの操作で所定の払出額に相当する商品・メダル又はサービスの提供を払出額単位で分割して行えるようにした複数の紙幣投入装置と、同紙幣投入装置の設置場所から離れた場所に設置される紙幣保管室と、前記の各紙幣投入装置で投入された紙幣を前記紙幣保管室まで安全に搬送する紙幣搬送装置からなる紙幣の搬送保管設備であって、
前記紙幣搬送装置は、紙幣を送れる紙幣通路を内部に形成した密閉のダクトを前記の複数の紙幣投入装置の設置位置に近い位置を経由して前記紙幣保管室の位置まで配設し、前記紙幣通路内に置かれて前記ダクトの内側ガイドによって案内されて紙幣通路に沿って前記紙幣保管室の前にあるダクト終端と上流のダクト始端との間をダクト内の送風流を受圧して推進されて下流方向及び上流方向のいずれの方向にも移動でき且つ紙幣通路途中に置かれた紙幣をその前方部分で捕捉できるキャリアを配置し、
又、前記紙幣投入装置に投入されて受入れられた紙幣をダクト側壁の狭い開口を介してダクト内の紙幣通路まで送り込む紙幣送出装置を各紙幣投入装置に備え、前記ダクトのダクト終端とダクト始端に移動しているキャリアを停止させるキャリア停止場を設け、前記ダクト終端のキャリア停止場に前記キャリアが捕捉した紙幣とキャリアとを分離して紙幣を前記紙幣保管室へ送り込む紙幣分離部を備え、ダクトの始端側及び終端側の各キャリア停止場それぞれにキャリアが停止しているか否かを確認するキャリアセンサーを設け、各キャリア停止場のキャリアを終端方向又は始端方向に送るための送風流をダクト内に発生させる送風装置を上・下流側のキャリア停止場それぞれに設け、前記紙幣投入装置には投入された紙幣の真偽を判断する紙幣真偽判断部と、小型の貸機コンピュータとを有し、同貸機コンピュータには同紙幣真偽判断部で眞札と判断した紙幣を受入れしていることを示す受入情報と，受入れられた紙幣の紙幣額情報と，投入された紙幣の額を初期の残高として紙幣の受入れ又は払出ボタンの操作毎に設定の払出額を減算した額の値を残高とする残高情報と，残高情報の残高の額が設定の払出額より小さくなると「残高なし」を出力する残高なしの情報と，紙幣を受入れした時刻である投入時刻情報とをその紙幣投入装置のＩＤと関連付けして記憶する記憶部とを備え、前記の各紙幣投入装置の記憶部の記憶情報と前記キャリアセンサーのキャリア検出情報とを入力して前記送風装置と紙幣送出装置とを制御し、各紙幣投入装置に受け入れた紙幣をダクトの紙幣通路内へ送り出す紙幣を決定する紙幣搬送順番決定ソフト部とを有する管理コンピュータを備え、同管理コンピュータは上流側のキャリアセンサーのキャリア検出情報によってキャリアが上流のキャリア停止場にあることを判断すると紙幣搬送順番決定ソフト部を作動させて紙幣搬送路に送り出す１枚の紙幣を決定してその紙幣の紙幣送出装置を作動させ、その後上流側の送風装置を作動させ、又キャリアをその送風流で下流方向に移動させ、その下流側のキャリア停止場に停止するとともにキャリアに捕捉された紙幣を紙幣分離部で分離してそのまま紙幣保管室へ送り込み、下流側のキャリア検出センサーのキャリア検出情報が入力された後所要秒後に下流側の送風装置を作動させてキャリアをその送風流によって上流方向へ移動させて上流側のキャリア停止場まで移動させる制御を行うことを繰り返して紙幣を１枚毎紙幣保管室へ送り届けることを特徴とする、紙幣の搬送保管設備
２）  前記の紙幣搬送順番決定ソフト部は、上流側キャリアセンサーの「キャリア検出」の情報を受けて作動開始し、各紙幣投入装置の記憶部の受入情報が「紙幣受入」状態の情報を有する紙幣投入装置を検索し、検索されなければ所要時間おいて再度検索し、検索されれば検索された紙幣投入装置の記憶部の残高情報が「残高なし」となっているものがあるかを検索して「残高なし」が１台の紙幣投入装置の場合はその装置が受入した紙幣を紙幣通路へ送り込む紙幣と決定し、「残高なし」が複数台の紙幣投入装置にある場合はそれらの記憶部の投入時刻情報からその「投入時刻」が最も古い紙幣を紙幣通路に送り込む１枚の紙幣と決定するルーチンのプログラムを有するものである、前記１）記載の紙幣の搬送保管設備
３）  前記の紙幣搬送順番決定ソフト部は、上流側キャリアセンサーの「キャリア検出」の情報を受けて作動開始し、各紙幣投入装置の記憶部の受入情報が「紙幣受入」状態の情報を有する紙幣投入装置を検索し、検索されなければ所要時間おいて再度検索し、検索されれば検索された紙幣投入装置の記憶部の残高情報が「残高なし」となっているものがあるかを検索して「残高なし」が１台の紙幣投入装置の場合はその装置が受入した紙幣を紙幣通路へ送り込む紙幣と決定し、「残高なし」が複数台の紙幣投入装置にある場合はそれらの記憶部の投入時刻情報からその「投入時刻」が最も古い紙幣を紙幣通路に送り込む１枚の紙幣と決定し、更に上記で「残高なし」の情報の紙幣投入装置のものが全くなければ「紙幣受入」情報の紙幣投入装置の記憶部の紙幣額情報の紙幣額が最も低い額の紙幣の一つを紙幣通路に送り込む紙幣と決定するルーチンのプログラムを有するものである、前記１）記載の紙幣の搬送保管設備
４）  紙幣投入装置で投入できる紙幣が複数の紙幣額のものであって、その最も低い紙幣額を１，０００円とし、又払出ボタンの１回の操作で提供される払出額の値が１，０００円である、前記１）〜３）いずれか記載の紙幣の搬送保管設備
５）  紙幣が投入されて「紙幣受入」の状態になると紙幣投入装置は自動的に払出額相当の商品・メダル又はサービスの提供がなされ、残高は紙幣額から払出額を差し引いた額とするようにした、前記１）〜４）いずれか記載の紙幣の搬送保管設備
６）  前記紙幣分離部が下流側のキャリア停止場の下流側にキャリアの前方部分に捕捉した紙幣をその移動速度の慣性で紙幣保管室の入口まで移動することを誘導する紙幣ガイドを設けた構造である、前記１）〜５）いずれか記載の紙幣の搬送保管設備
７）  ダクト内の紙幣通路は紙幣の紙面の長辺を下にして垂直にして送る断面が縦長の空間であり、キャリアは前記縦長の空間に収まる縦長のプラスチック製で前方部分に垂直の紙幣を捕捉する左右にＶ字の羽根状に拡がった紙幣捕捉部を有し、又キャリアの後方部分に送風流を受圧できるＶ字の羽根状に拡がった受圧部を有する構造である、前記１）〜６）いずれか記載の紙幣の搬送保管設備
にある。
【発明の効果】
【００１４】
本発明は、複数の紙幣投入装置と紙幣保管室との間に密閉したダクトを配置し、紙幣投入装置に付属した紙幣送出装置で投入された紙幣をダクト内の紙幣通路に送り出し、それを送風装置の空気流でキャリアで紙幣保管室へ搬送することで、安全で高速に紙幣搬送できる。
【００１５】
請求項２の発明では、貸機の「残高０」が「１」残高なしとなれば、その「残高０」が「１」のうち投入時刻が最も古いものを搬送する紙幣と決定する。これによって、低額の紙幣は投入されると早期に「残高なし」になるため、投入されることが多い低額の紙幣を優先的に搬送できるとともに高額の紙幣が投入されて残高なしとなれば、投入時刻が古いものを優先搬送するので直ちにその高額紙幣を搬送できる。
【００１６】
更に、請求項３の発明では前記請求項２の発明に加えて全ての紙幣投入装置が「残高なし」でない場合でも、次の投入可能性が多い低額の紙幣を選んで紙幣搬送することとなるので紙幣投入装置の受入中の紙幣を多く搬送でき、効率的な紙幣搬送と紙幣投入装置の紙幣投入可能な状態に早期にして、その活用効率も高めることができる。
【００１７】
又、請求項４の発明では投入できる紙幣の中で最も低額となる紙幣額を１，０００円とし、又払出ボタンの１回の操作で提供される払出額の値が同じ１，０００円とすると、これより高額の２千円，５千円，１万円の投入紙幣では整数回の払出ボタンの操作で残高が０円となり、残高なしとなって端数の残高が残らないので、払い戻し・清算が容易となる。
【００１８】
紙幣投入装置が投入された紙幣を受け入れると、自動的に１回の払出ボタン操作の払出額相当分の商品・メダル又はサービスの提供がなされ、又残高は紙幣額から払出額を差し引いた額とする発明では、紙幣投入しただけで払出額相当分の商品・メダル又はサービスの提供が自動的になされ、払出ボタンを押す操作を必要なくして操作性がよいものとなる。
キャリアが前方と後方にＶ字の羽根状の紙幣捕捉部と受圧部を有するものでは、紙幣の捕捉が確実に出来るとともに反対側の受圧部又は紙幣捕捉部で下流方向にも上流方向にも送風流を受圧して、両方向に移動可能としている。
【図面の簡単な説明】
【００１９】
【図１】図１は実施例の全体構成を示す斜視図である。
【図２】図２は実施例の全体構成を示す正面図である。
【図３】図３は実施例の全体構成を示す平面図である。
【図４】図４は実施例のダクトの一部の拡大正面図である。
【図５】図５は実施例のダクトの拡大縦断面図である。
【図６】図６は実施例のダクトの始端と終端のキャリア停止場と送風装置と紙幣保管室を示す拡大斜視図である。
【図７】図７は実施例の貸機と紙幣送出装置とダクトの内部の紙幣の移動構造を示す説明図である。
【図８】図８は実施例のダクトの内部構造を示す一部切欠拡大斜視図である。
【図９】図９は実施例のダクト内部でのキャリアの配置状態を示す説明図である。
【図１０】図１０は実施例のダクトの島先端におけるターン部の形状を示す説明図である。
【図１１】図１１は実施例のダクトの島先端におけるターン部の斜視図である。
【図１２】図１２は実施例におけるダクト内のキャリアと紙幣の送り状態を示す説明図である。
【図１３】図１３は実施例のキャリア停止場でのキャリア停止状態を示す説明図である。
【図１４】図１４は実施例の貸機のハード構成を示す説明図である。
【図１５】図１５は実施例の貸機の記憶部のメモリ構造を示す説明図である。
【図１６】図１６は実施例の管理コンピュータのメモリ部の構造を示す説明図である。
【図１７】図１７は実施例の貸機での記憶部のメモリ状態を示す説明図である。
【図１８】図１８は実施例の貸機コンピュータの処理フローを示すフロー図である。
【図１９】図１９は実施例の貸機コンピュータの処理フローを示すフロー図である。
【図２０】図２０は実施例の貸機コンピュータの処理フローを示すフロー図である。
【図２１】図２１は実施例の管理コンピュータの紙幣搬送順番ソフト部の処理フロー図である。
【図２２】図２２は実施例の管理コンピュータの紙幣搬送順番ソフト部の処理フロー図である。
【図２３】図２３は実施例において管理コンピュータの紙幣搬送順番決定ソフト部が請求項２のタイプのものとした場合の紙幣送りのフロー図である。
【図２４】図２４は実施例において管理コンピュータの紙幣搬送順番決定ソフト部が請求項２のタイプのものとした場合の紙幣送りのフロー図である。
【図２５】図２５は本発明における紙幣投入装置とダクトと送風装置と紙幣保管室との種々の配置例を示す説明図である。
【図２６】図２６はダクトの始端と終端を戻しダクトで連通させた本発明の他の構造の例を示す説明図である。
【発明を実施するための形態】
【００２０】
本発明のダクトの始端及び終端の各キャリア停止場のダクト延長位置に紙幣通路に流れる送風流のダクト外部へ放出用の電動式又は圧力感知自動作動の排気弁又は電動式排気ダンパーを開閉自在に取付け、送風装置の起動と同期してその送風流の終端側の排気弁又は排気ダンパーを作動して外気へ送風流を送り出すように、又は送風装置側へ戻す空気流の戻し路へ送り出すようにするのが送風流の流れを発生させ易くするので好ましい。
【００２１】
本発明のキャリアは強度ある軽量のプラスチック製のものがよく、送風流によって高速で移動できるようにすることができるので好ましい。又、キャリアは巾がある紙幣通路に置かれた紙幣を確実に捕捉できるように、紙幣通路の巾以上に左右に拡がったＶ字状の羽根形した紙幣捕捉部を下流側に設けることが好ましい。
【００２２】
本発明のキャリア停止場はキャリアを停止させるストッパー装置が設けられるが、走行しているキャリアを急に停止させるとキャリア・ストッパー装置が破損する恐れがあるので、少しブレーキをかけながら停止させるのがキャリアの耐久性上好ましい。
【００２３】
本発明の下流側のキャリア停止場と紙幣保管室の入口側との間に紙幣送り込み確認の紙幣センサーを設けるのが好ましい。これによって、キャリア停止場でのキャリア停止で紙幣送りを確認するよりもより正確となる。
【００２４】
本発明の下流側の終端側キャリア停止場と、始端側のキャリア停止場とを連絡するキャリアの戻しダクト５０を図２５（ｅ）に示すように設け、同戻しダクト５０の始端側停止場の近くにキャリア戻し専用ダクト５１への送風流発生用送風装置５２を設け、同送風装置５２でキャリア４を戻しダクト５０を介してダクト２の始端側キャリア停止場６まで送るようにしてもよい。
【００２５】
本発明の払出ボタンで払い出すメダルの相当額（設定払出額）は、日本の遊技店で使用する貸機では使用できる紙幣の最小の紙幣額である１，０００円とするのが通常である。
【００２６】
本発明におけるダクトとキャリア停止場、紙幣保管室、送風装置の配置例を図２５に示している。いずれも本発明に含まれるものである。
【実施例】
【００２７】
以下、図１〜２２に示す請求項１及び３，４，５，６，７の特徴的構成を有する本発明の実施例を図面に基づいて説明する。
本実施例は、パチンコ・スロットルの遊技店において使用される貸機（紙幣投入装置）における紙幣の搬送保管設備であり、同貸機の投入できる紙幣は千円，２千円，５千円，１万円としている。又、貸機の前面には紙幣投入口と、投入紙幣の額・残高を表示する表示器と、１，０００円の単位で払出できる払出ボタンと、清算ボタンと、メダルを隣の遊技機へ送り出すメダルシュートとを有している。又、ダクトは遊技店の島の一面にはパチンコ機を、その対向面にはスロットル機の遊技機を複数列設され、貸機は列設されたパチンコ機の間及びスロットル機の間に配置されている。そして、パチンコ機の間の貸機の高さはスロットル機間にある貸機の高さより低く、ダクトの高さもパチンコ機の横にある貸機の高さが低いので、その島の終端のダクトのターン部でスロットル機の横の貸機の高さに変更されている。
【００２８】
又、実施例のダクト２の終端と始端はＵターンする同ダクト２の端部にあり、図１，２，３，６，１２，１３に示すようにいずれも島の始端側にある。ダクト２の始端側のキャリア停止場５と、ダクト２の終端側の両方のキャリア停止場６及び上・下流の送風装置７，８とは互に同じ島の始端側にあり、近接している。又、各キャリア停止場５，６は移動して走行しているキャリア４を止めるストッパー装置である電動ストッパ２５が設けられている。そして、各キャリア停止場にはキャリア４が停止しているか否かを確認するキャリアセンサーが設けられている。又、紙幣投入装置である貸機１は、紙幣の長辺を水平にして紙面を垂直にして送り込む紙幣投入口１１と、投入した金額及び残高を示す表示器１２と、払出ボタン１３と、清算ボタン１３１と、払い出されるメダルを横にある遊技機Ｐの受皿に送り込むメダルシュート１９１とが前面に設けられている。貸機内部には、紙幣投入口１１に続く紙幣送りローラ１５５を用いた紙幣送り機構（図面上具体的機構を省略している）と、紙幣の真偽判断とその額を検出する紙幣真偽判断部１４と、貸機１の状態及び紙幣情報を記憶する記憶部１６と、上記機構・記憶部を図１８〜２０に示される処理フローの如く制御する小型コンピュータの貸機コンピュータ１５と、年月日・時分秒を小型コンピュータ１５へ出力できるデジタル式の内蔵の時計１５４と、貸機コンピュータ１５と島の管理コンピュータ１０と記憶及び制御信号を授受を行う通信部１７と有している。更に、同貸機１とダクト２の間に貸機に受け入れられた紙幣を送出する紙幣送出装置９を設けている。又、紙幣投入口１１には紙幣の投入を容易とする紙幣投入ガイド１１１を設けている。
【００２９】
そして、本発明の各島には１台設ける管理コンピュータ１０のメモリには各貸機１の記憶部１６の主要なメモリ情報を貸機ＩＤと関連付けして、リアルタイムに入力して記憶を共有している。又、管理コンピュータ１０は紙幣送出装置９、送風装置７，８、排気用ダンパー７３，８３の動作を制御し、図２１〜２２に示す紙幣搬送順番決定ソフト部１０２を有し、搬送する紙幣を決定している。
【００３０】
（実施例の構成部分とその符号の説明）
Ｇは図１〜２２に示す本発明の実施例の紙幣の搬送保管設備であり、Ｐは遊技機、ｍは紙幣である。図中、１は紙幣投入装置である貸機、２はダクト、３は紙幣保管室、４はキャリア、５，６はキャリア停止場、７，８は送風装置、９は貸機１とダクト２との間に設けられる紙幣送出装置、１０は島の管理コンピュータである。
【００３１】
１１は貸機１前面に設けた縦スリット状の紙幣投入口、１２は投入紙幣の紙幣額・貸機の現在の残高額を表示する貸機前面に設けた表示器、１３は貸機１の前面に設けた払出ボタン、１４は貸機１内部にある紙幣真偽判断部であり、貸機１の内部のメダルホッパー１８，メダル払出器１９，内部の紙幣送り機構及び外部のメダル供給ライン（図示せず）からメダルホッパー１８へのメダル補給路１８１の内部構造については貸機構造として周知であるので省略している。１５は貸機１内に設けた貸機コンピュータ、１５１はＣＰＵ、１５２はインターフェース、１５３はＨＤＤメモリ、１５４は内蔵時計である。１６は同貸機コンピュータに付属の貸機の種々の情報・状態の情報及び図１８〜２０に示すように処理する作動ソフト等を記憶している記憶部であり、同記憶部には貸機１のＩＤを記憶したメモリ１，投入された紙幣を紙幣真偽判断部１４が眞札と判断して受入れした時点の時刻を投入時刻として記憶するメモリ２，受け入れした紙幣の紙幣額を記憶するメモリ３，紙幣を受け入れたことを記憶するメモリ４，貸機１の残高金額を記憶するメモリ５，残高が払出金額１，０００円より低い額の４００円以下となれば出力する「残高０」のメモリ６，貸機１の一日での紙幣投入回数Ｍをカウントした値を記憶するメモリ７，貸機１の一日での投入（受入）紙幣の紙幣額の合計額を記憶するメモリ８，本日の年月日を記憶するメモリ９と，設定された払出額を記憶するメモリ１０と、貸機１の貸機コンピュータ１５を作動させる動作ソフト等を有している。貸機１の前面にはゲーム終了の為の清算ボタン１３１を有し、貸機１の残高を全部メダルで払い出せるようになっている。１９はメダルホッパー１８の下部に取付けられたメダルの払出器、１９１はメダルシュートである。
【００３２】
図１であらわれる２０ａはパチンコ機の遊技機Ｐ及びその貸機１・紙幣送出装置９・ダクト２を設置する台座、２０ｂはスロットル機の遊技機Ｐ及びその貸機１・紙幣送出装置９・ダクト２を設置する台座であり、パチンコ機側の台座２０ａの床からの高さはスロットル機側の台座２０ｂの床からの高さより高い位置にある。しかし、パチンコ機側の貸機１の紙幣投入口１１及びその貸機背後にある紙幣送出装置９・ダクト２は台座２０ａから低い位置に設けられている。これに対して、スロットル機側の貸機１の紙幣投入口１１及びその貸機背後にある紙幣送出装置９・ダクト２はその台座２０ｂからかなり高い位置にある。その結果、パチンコ機側の貸機１背後に配置されるダクト２の床からの高さは、スロットル機側の貸機１背後にあるダクト２の床からの高さより低い位置にあって、島の先端でＵターンするように配置されるダクト２はパチンコ機側の貸機１の低い位置から島の先端で高くなるようにターンしてスロットル機の背後の高い位置で紙幣保管室３へ送られる。
【００３３】
又、貸機１には記憶部９から島の管理コンピュータ１０のメモリ部１０１へ記憶部１６のメモリ２〜１０の情報を伝達できる通信部１７を有している。更に、払出器１９が払出したメダルを遊技機Ｐのメダル受皿（図示せず）へ送るメダルシュート１９１を貸機１の下方に備えている。
【００３４】
又、実施例のダクト２は図２５に示すように種々の平面配置で配置可能であり、アルミ製の一体引抜き成型品であり、内部に紙幣通路２１と，キャリア４を縦状態で案内するダクト内中央に張り出した高さがある内側ガイド２２とを有し、そのダクト２の始端・終端のキャリア停止場５，６にはストッパ−ピン２４を出入してキャリア４の紙幣捕捉部４１・受圧部４２の左右先端部と当接して強制停止させる電動ストッパ２５を有している。尚、電動ストッパ２５に代えて固設のストッパーピンのみでも可能である。
【００３５】
ダクト２の始端・終端に設けるキャリア停止場５，６にはキャリア４が停止していることを検出するキャリアセンサー（図示せず）をそれぞれ設けている。更に、ダクト２には紙幣送出装置９から送り出される紙幣をダクト壁の縦長の挿入口２６から紙幣通路２１内部まで案内する変曲した紙幣挿入ガイド２７が設けられている。
【００３６】
キャリア４は図９，１２，１３に示す構造であり、強度の高いプラスチック製で、ダクト２の紙幣通路２１内に嵌入できる形状であり、前部にＶ字に左右に拡がった羽根状の上下２段の紙幣捕捉部４１を有し、後部には前部の上下２段の紙幣捕捉部４１の形状と同じような形状で左右にＶ字に拡がった羽根状の上下２段の受圧部４２を有し、ダクト２の内側ガイド２２である内側に張り出した中段部を紙幣捕捉部４１，受圧部４２の上下段間の空間部４４に嵌入させるようにして、内側ガイド２２は縦長のキャリア４を垂直に保持してダクト２の紙幣通路２１を円滑に走行移動できるようにしている。そして、この左右ある中段部の対向面２２ａ間の間隙を紙幣通路２１としている。紙幣捕捉部４１，受圧部４２の左右に拡がったＶ字状の羽根部分の先端部は対向面２２ａよりダクト２の上・下の内壁面近くまで延びているので、紙幣捕捉部４１は対向面２２ａの間の紙幣通路２１にある紙幣を確実に捕捉できるようにしている。
【００３７】
送風装置７，８は図６，１２，１３に示すようにダクト２の端部にあるキャリア停止場５，６からのダクト延長部に設けた送風口７１，８１に接続された送風路７２，８２の路端に設けられている。
又、キャリア停止場５，６と送風口７１，８１との間のダクト２に電動式の排気用ダンパー７３，８３が図６，１３に示されるように設けられ、ダクト２の反対端にある送風装置７，８の開閉の停止／送風と同期して前記排気用ダンパーの閉／開とがなされている。
【００３８】
紙幣送出装置９は図７に示すように貸機１の紙幣真偽判断部１４の紙幣送りローラ１５５を用いた紙幣送り出し機構によって送り出される紙幣を受け入れて一時紙幣を受け入れる受入部９１と、受入れられた紙幣を同受入部９１の紙幣送りローラ９２を作動させてダクト２の前記挿入口２６へ挿入して変曲した紙幣挿入ガイド２７によって紙幣通路２１内までダクト方向に向って垂直に横置されるようにする。受入部９１の紙幣が紙幣通路２１へ送り出されると、紙幣送出装置９は貸機１に紙幣投入可能とする信号を送り込むようにしている。受入部９１には紙幣確認センサー９３が設けられ、これによって紙幣の有無を確認している。
又、島にある複数ある各貸機１の記憶部１６のメモリは島の管理コンピュータ１０のメモリへ送られ、貸機１の各情報・状態は同管理コンピュータ１０のメモリ部１０１の各貸機ＩＤをもって作られたディレクレのメモリにリアルタイムに記憶されている。又、管理コンピュータ１０は送風装置７，８、紙幣送出装置９、ダンパー７３，８３の動作を制御できるようになっている。
【００３９】
又、下流側のキャリア停止場５と紙幣保管室３との間の紙幣通路２１が延長され、延長紙幣通路２３があって、キャリア停止場５とその延長紙幣通路２３とが紙幣分離部２８を形成している。
【００４０】
管理コンピュータ１０に記憶されている紙幣搬送順番決定ソフト部１０２は、図２１〜２２に示すプログラムによって送り出す貸機１の紙幣を決定し、決定した紙幣を受け入れている紙幣送出装置９に送出起動信号を発生するようになっている。
【００４１】
（実施例の動作説明）
本実施例では、島の一面には高い台座２０ａ上にパチンコ機の遊技機Ｐとその横に配置された貸機１とが交互に複数列設されている。又、島の反対面には低い台座２０ｂ上にスロットル機の遊技機Ｐとスロットル機用貸機１が交互に複数列設されている。そして、パチンコ機側のダクト２の高さはスロットル機側のダクト２の高さより床から低い位置にある。そして、ダクト２は島の各貸機１の後方に配設され、島の先端でのＵ字状のリターン部２９で高さが下流側のダクト２に向って傾斜して高くなっている。ダクト２の始端と終端はともに島の基端側にある。従って、ダクト始端側と終端側にあるキャリア停止場５，６及び送風装置７，８及び紙幣保管室３ともに島の基端側にあって、点検・整備・安全性において有効となっている。
【００４２】
遊技者は遊技機Ｐを楽しむため、最初又は遊技途中にその遊技機Ｐの横にある貸機１に紙幣を投入する。
紙幣を貸機１の紙幣投入口１１に挿入すると、図１８〜２０の処理フローに従って貸機１はその投入された紙幣を所定位置までとり込んで、紙幣真偽判断部１４で投入された紙幣が真正の紙幣であるか否か検査し、眞札であれば投入された紙幣を受け入れて、貸機コンピュータ１５の図１５に示す記憶部１６のメモリ２に紙幣受入れの時刻を紙幣の投入時刻として記憶し、メモリ３に紙幣額を記憶し、メモリ５に紙幣額を初期現在残高としてメダル払出額を差し引いた額を残高と記憶し、更にメモリ６にその残高が「０円」となった場合「残高なし」，「残高０」の情報を記憶するようにしている。併せて、受け入れた紙幣を紙幣送出装置９に送り込む。送り込んで紙幣確認センサー９３が紙幣ｍを感知すると、記憶部１６のメモリ４に紙幣受け入れの情報を書き込むようにする。前記の記憶部１６のメモリ状態は、通信部１７によってリアルタイムで島の管理コンピュータ１０に送信されて、そのメモリ部１０１の貸機ＩＤと使用した日の現在日とで関連付けられたメモリエリアに記憶される（図１６参照）。
尚、紙幣が眞札と何回かの検査で判断されなければ、受け入れせずに紙幣を紙幣投入口１１へ戻し返却する。
【００４３】
又、貸機１で投入された紙幣ｍが真正の紙幣と判断されて受け入れられると、貸機１内部にあるメダルホッパー１８の払出器１９を作動させ、自動的に払出額の１，０００円分のメダルをメダルシュート１９１へ排出して、遊技機Ｐのメダル受皿（図示せず）へ初回の払い出しを行い、遊技が開始又は続行できるようにする。
一方、貸機１の表示器１２は紙幣ｍを受け入れるとその紙幣額をメモリ３から入力して表示し、又上記初回のメダルの払い出しが終わると紙幣額から払出額（１，０００円分）を差し引いたメモリ５の現在の残高を表示する。
【００４４】
表示器１２は千円札を投入すると受け入れと同時に「１，０００円」の表示がなされ、初回のメダルが払い出されると残高額として「０円」を表示することとなる。即ち、残高は紙幣額「１，０００円」から直ちに初回の払出額１，０００円を差し引くので残高は「０円」となり、「残高なし」のメモリ６は残高０円を示す「１」の情報が入力されることとなる。紙幣が１万円である場合は、表示器１２は「１０，０００円」の表示の後、初回払出額の１，０００円分のメダル払出後に１０，０００円−１，０００円＝「９，０００円」の表示となる。
【００４５】
各貸機１で紙幣ｍを投入すると、貸機１は上記の処理を行う。又、表示器１２が１，０００円以上の表示の場合は払出ボタン１３を押す毎と払出器が作動して払出額１，０００円分のメダルをメダルシュート１９１を介して遊技機Ｐのメダル受皿へ払出し、遊技を続行できるようになっている。残高から払出額１，０００円差し引かれた額がメモリ５に記憶され、表示器１２に表示される。
【００４６】
各貸機１に投入された紙幣ｍは眞札であれば紙幣送出装置９まで送られ、同装置の作動でダクト２の紙幣通路２１へ送出されるまで受入れ状態で待機する。又、各貸機１の貸機コンピュータ１５の記憶部１６のメモリ情報は島の管理コンピュータ１０のメモリ部１０１にも送信されて、貸機１の状態を管理コンピュータ１０は把握している。
【００４７】
従って、千円札を投入された貸機１の記憶部１６のメモリは「受入」状態となって、又「残高」は直ちに残高０となり、「残高なし」の「１」の状態となる。２千円,５千円，１万円の札が投入された貸機１の投入直後のメモリは「受入」状態で、メモリ５の残高は１，０００円以上で、「残高０」のメモリ６は残高ありの「０」値となっている。
【００４８】
各貸機１に受入れられている紙幣ｍから搬送する紙幣の決定は、キャリア４が上流のキャリア停止場５にあることの待機信号を上流のキャリアセンサー（図示せず）から入力する毎に管理コンピュータ１０の紙幣搬送順番決定ソフト部１０２が作動して決定し、その決定された紙幣を受け入れている紙幣送出装置９に対し紙幣の送出信号を送って、ダクト２の紙幣通路２１にその紙幣ｍを送り込む。
【００４９】
この紙幣搬送順番決定ソフト部１０２は、キャリア４が上流のキャリア停止場５に待機している時点での貸機１の状態をその記憶部１６のメモリ（メモリ部１０１）から入力して、その都度１枚の紙幣を決定する。その決定の処理フローを図２１，２２に示している。
【００５０】
このソフト部１０２ではまず島の貸機１で紙幣を受入れしているものを各貸機の記憶部１６（メモリ部６）のメモリ４が「１」か「０」か判断して検索する。もし、紙幣受入れの貸機１がなければ、所要時間後に紙幣受入れの貸機１の検索を検出するまで繰り返す。
【００５１】
紙幣受入れの貸機１を検索した後、その中でメモリ６の「残高０」の貸機１があるか否かを検索する。
【００５２】
「残高０」の貸機１が単数又は複数あれば、その検索された貸機１の記憶部１６のメモリ２の投入時刻が一番古い貸機１（単数の場合、検索された貸機１の）のＩＤを検索する。複数の品種の紙幣が「残高０」となっていれば、一番古い投入時刻となるのは一番高額の紙幣が選択される。しかし、「残高０」となる紙幣は最も低い紙幣千円が多くなるので、統計的には千円札の紙幣が搬送される紙幣となる確率が高い。即ち、低い額の紙幣を搬送する紙幣とすることが多く、高額の紙幣が「残高０」となっていればこれを優先して搬送する紙幣として決定することとなる。
仮に、「残高０」の紙幣のうち、「残高０」となった時刻を基準にすれば高額紙幣の貸機の「残高０」となっても低額の千円札等の「残高０」のものが多いので、高額紙幣の搬送が遅れる。この点、本実施例の如く、「残高０」の次に「投入時刻」の古い順に搬送すれば高額紙幣の搬送の遅れがなく、次の紙幣の投入ができるようになる。
【００５３】
更に、本ソフト部１０２は「残高０」の貸機１が存在しない場合は紙幣を受入れている貸機１のうち、低額の紙幣を受け入れている貸機１を検索し、その中で最も低額の紙幣の１つを選別してダクト２の紙幣通路２１へ送り込む。もし、最も低額の紙幣の受入れの貸機１が複数ある場合は、メモリ２の投入時刻が最も古い貸機１を選択して、その貸機１のＩＤの紙幣送出装置９に作動信号を出して紙幣通路２１へ送り込む。
【００５４】
このように、「紙幣受入」があって「残高０」となっている貸機が全く検索できない場合でも、受入中の紙幣を低い額の順で搬送できるので、紙幣搬送に休止時間が少なくなって、紙幣を効率的に紙幣保管室３へ送り出すことができる。この紙幣送りの決定フローを図２１，２２に示している。
【００５５】
１枚の紙幣が搬送される紙幣として決定されて、ダクト２の紙幣通路２１へ送り出されると、その紙幣送出装置９の送り出し信号後の所定秒後の時点（又はダクト２の紙幣通路２１に紙幣を感知するセンサーがあればその札検出時点）で管理コンピュータ１０は上流側の送風装置７，ダンパー８３を作動させ、送風流を送風口７１を介して紙幣通路２１へ送り込み、そのダクト２の終端でダンパー８３を開放して送風流が下流に向けて紙幣通路２１へ流れ易くし、又上流側のキャリア停止場５に停止されていたキャリア４を移動可能にする。
この状態で送風流がキャリア４の受圧部４２に吹きつけると、キャリア４はその受圧力で推進力を得て下流方向に内側ガイド２２に案内されて、下流方向に向けて走行する。尚、電動ストッパ２５がキャリアを係留するタイプでは、その係留を解除させて送風装置７を作動させる。
【００５６】
キャリア４は走行途中の紙幣通路２１に垂直に置かれた紙幣ｍをその前部にあるＶ字状の紙幣捕捉部４１で捕捉して、紙幣を前部に抱えて走行し、下流側のキャリア停止場６の電動ストッパ２５のストッパーピン２４で当ってキャリア停止場６で停止する。同キャリア停止場６にあるキャリアセンサー（図示せず）で上流側の送風装置７及びダンパー８３の作動を停止させる。
【００５７】
そのキャリア４がストッパーピン２４に当って強制停止されると、キャリア４のＶ字状の紙幣捕捉部４１に抱持されていた紙幣ｍは走行の慣性力でキャリア４から離れて延長紙幣通路２３を介して紙幣保管室３へ送り込まれる。延長紙幣通路２３には紙幣センサー（図示せず）を配置して紙幣保管室３に収容する紙幣枚数をカウントしている。
【００５８】
紙幣が紙幣保管室３へ収容された時点で、管理コンピュータ１０は下流側の送風装置８・上流側のダンパー７３を起動し、送風装置８によってダクト２内に上流に向かう送風流を発生させると下流側キャリア停止場６に停止していたキャリア４の紙幣捕捉部４１で送風流の風圧を受けて、その風圧を推進力としてキャリア４をダクトの上流に向けて走行させ、上流側キャリア停止場５にある電動ストッパ２５のストッパーピン２４に係止させてキャリア４を上流側キャリア停止場５に停止させる。そして、この上流側キャリア停止場５にあるキャリアセンサー（図示せず）によってキャリア４を確認すると、前記紙幣搬送順番決定ソフト部１０２が作動し、前記の手順の図２０，２１のフロー図の様に搬送する紙幣を決定して、ダクト２内に送り出してキャリア４を送風流によって下流方向に移動して、途中で紙幣を捕捉して紙幣保管室３へ送り出す。
【００５９】
本実施例で、島の貸機１の合計数が４０機でキャリア４の往復移動の１サイクル（１枚の紙幣を搬送・紙幣保管室収容・キャリア戻しまでのサイクル）は、大略２２秒程で行えるようになった。
【００６０】
図２３，２４に示す紙幣送りフロー図は、「残高０」が「１」（残高なし）の貸機に受入れた紙幣のみしかダクト内の紙幣通路へ送り込まない例で、請求項２の発明の紙幣搬送順番決定ソフト部の紙幣送りのフロー図である。
この例では、貸機の「残高０」が「１」値（残高なし）でなければ受入した紙幣を紙幣通路へ送らない例である。このように、搬送する紙幣を決定することも本発明に含まれるものである。尚、図２１，２２の前記実施例に比べやや紙幣処理量が少ないが、これでも実用的である。
【００６１】
本発明は、前記実施例のダクト２，送風装置７，８，貸機１，紙幣保管室３の配置に限るものでなく、図２５（ａ）〜（ｅ）に示すように貸機１の配置に応じて、ダクトは（ａ）：直線的なもの，（ｂ）：Ｌ字状のもの，（ｃ）：Ｕ字状のもの，（ｄ）：貸機１がダクトの一方側のみ列設しているものがある。
更に、図２５（ｅ）の如くダクト２の下流側キャリア停止場６を戻しダクト５０を介してダクト２の始端のキャリア停止場５と連通したキャリア戻し専用ダクト５１の始端のキャリア停止場５３と接続して、キャリア停止場６のキャリア４を戻しダクト５０を介して別のキャリア戻し専用ダクト５１の始端のキャリア停止場５３に送り、送風装置５２で上流から下流のキャリア停止場５へ送り出すタイプとすることも可能である。
【００６２】
図２５（ｅ）の例について、詳しく説明する。
この例では、キャリア停止場５，６，５３はダクト２の上流位置と、ダクト２の下流位置と、戻しダクト５０の終端でキャリア戻し専用ダクト５１の始端の位置の３個所にあり、送風装置７，５２はキャリア停止場５とキャリア停止場５３の２個所に設けている。そして、３個所のキャリア停止場５，６，５３にはストッパーピン２４を進退自在にする電動ストッパ２５がそれぞれ備えられている。
又、戻しダクト５０の途中及びキャリア戻し専用ダクト５１の終端とダクト２の始端のキャリア停止場５とを接続するターン部５４との途中に、空気流を一方向にするため空気流を遮断する電動開閉空気遮断板６０，６１を設け、管理コンピュータ１０で送風装置７，５２の作動と同期して作動させている。併せて、排気ダンパー７３，８３の位置を前記電動開閉空気遮断板６０，６１の手前の戻しダクト５０とターン部５４の位置に設けるようにしている。
【００６３】
更に、キャリア停止場６からキャリア停止場５３へのキャリア移動について説明すると、ダクト２の断面構造と略同じ戻しダクト５０で連通していて、キャリア停止場６の電動ストッパ２５のストッパーピン２４を後退して、キャリア停止場６のキャリア４を送風装置７の弱い送風流でもって戻しダクト５０を通過してダクト２と同じ断面構造のキャリア戻し専用ダクト５１の始端側の前記キャリア停止場５３に電動ストッパ２５で停止させる。
尚、キャリア４が左右上下対称であれば、戻しダクト５０でキャリアを上下逆又は左右逆に反転させても、ダクト２と戻しダクト５０の接続が容易となる。
【００６４】
本例で、キャリア４を１台のみ使用する場合は、キャリア４が終端のキャリア停止場６から始端のキャリア停止場５へ戻らせるのを、図２５の（ａ）〜（ｄ）の如く同じダクト２を使って逆方向にキャリア４を送らないで、終端のキャリア停止場６にあるキャリア４を戻しダクト５０を介してキャリア停止場５３へ移動させ、送風装置５２による空気流でキャリア戻し専用ダクト５１を用いて高速にダクト２の始端のキャリア停止場５へ送れる。
このキャリア１台の例は、キャリア４のダクト２の始端のキャリア停止場５へ戻し方が違うのみで、本発明の図２５の（ａ）〜（ｄ）の例と略同じような作用効果を有する。
【００６５】
特に、図２５（ｅ）の例で、キャリア４を２台使用して、キャリア停止場５とキャリア停止場５３にキャリア４をそれぞれ配置し、各電動ストッパ２５と送風装置７，５２を同期して作動させて２台のキャリア４を同時に移動させ、ダクト２を移動する一方のキャリア４が紙幣を途中で捕捉して、キャリア停止場６を経てキャリア停止場５３で一時停止させる。同時に他方のキャリア停止場５３から動いたキャリア４はダクト２の始端のキャリア停止場５で一時停止させる。
このようにすることで、キャリア２台を使用した図２５（ｅ）の例では他の例の如くキャリア４と同じダクト２を使って始端に戻す時間を省く（同時並行処理する）ことができるので、紙幣搬送処理能力が図２５の（ａ）〜（ｄ）のものに比べ約２倍のものにできる。約１１秒で１枚の紙幣を送れることとなる。本例も本願発明に含むものである。
この本例でも始端のキャリア停止場５は、図２５（ｂ）〜（ｄ）の位置に置くことができる。
【００６６】
更に、図２６の如く、図２５（ｃ）においてダクト２の終端のキャリア停止場６とダクト２の始端のキャリア停止場５が同じ島の基端側にある場合又は近い距離にある場合、終端側キャリア停止場６に一時停止した又は減速させたキャリア４を始端側キャリア停止場５に戻す戻しダクト５０を設け、始端側のキャリア停止場５の近くの排気側排気ダンパーと終端側の送風装置８は不要となるシンプルな構造にできる。戻しダクト５０の途中に電動開閉空気遮断板６０とその手前にダンパー８３とを設けている。
更に、キャリア４のダクト２の終端から始端への戻しの力は送風装置７の弱い送風力又はバネ力又は自重等による弱い力で送れ、キャリア戻し時間はダクト２を終端から始端に向けてダクト２を逆走させて戻すものに比べて大巾に短縮でき、紙幣送りのサイクルが１４秒程に短縮できる。尚、ダクト２内の送風流の流速が不足すれば、ダクト２の途中にキャリア移動方向に空気流を吹出す補助送風装置６２を設けても良い。
【産業上の利用可能性】
【００６７】
本発明は、遊技店の貸機を紙幣投入装置とした例であるが、イベント会場の入場券の自動販売装置で紙幣を使用できる設備でも利用可能である。
【符号の説明】
【００６８】
Ｇ    実施例の紙幣搬送保管設備
Ｐ    遊技機
ｍ    紙幣
１    貸機（紙幣投入装置）
１１    紙幣投入口
１１１    紙幣投入ガイド
１２    表示器
１３    払出ボタン
１３１    清算ボタン
１４    紙幣真偽判断部
１５    貸機コンピュータ
１５１    ＣＰＵ
１５２    インターフェース
１５３    ＨＤＤメモリ
１５４    内蔵時計
１５５    紙幣送りローラ
１６    記憶部
１７    通信部
１８    メダルホッパー
１８１    メダル補給路
１９    払出器
１９１    メダルシュート
２    ダクト
２０ａ    台座
２０ｂ    台座
２１    紙幣通路
２２    内側ガイド（中段部）
２２ａ    対向面
２３    延長紙幣通路
２４    ストッパーピン
２５    電動ストッパ
２６    挿入口
２７    紙幣挿入ガイド
２８    紙幣分離部
２９    リターン部
３    紙幣保管室
４    キャリア
４１    紙幣捕捉部
４２    受圧部
４４    上下段間の空間部
５，６    キャリア停止場
７，８    送風装置
５０    戻しダクト
５１    キャリア戻し専用ダクト
５２    送風装置
５３    キャリア停止場
５４    ターン部
６０，６１    電動開閉空気遮断板
６２    補助送風装置
７１，８１    送風口
７２，８２    送風路
７３，８３    ダンパー
９    紙幣送出装置
９１    受入部
９２    紙幣送りローラ
９３    紙幣確認センサー
１０    管理コンピュータ
１０１    メモリ部
１０２    紙幣搬送順番決定ソフト部
【図１】
2017186133.tif 000003
【図２】
2017186133.tif 000004
【図３】
2017186133.tif 000005
【図４】
2017186133.tif 000006
【図５】
2017186133.tif 000007
【図６】
2017186133.tif 000008
【図７】
2017186133.tif 000009
【図８】
2017186133.tif 000010
【図９】
2017186133.tif 000011
【図１０】
2017186133.tif 000012
【図１１】
2017186133.tif 000013
【図１２】
2017186133.tif 000014
【図１３】
2017186133.tif 000015
【図１４】
2017186133.tif 000016
【図１５】
2017186133.tif 000017
【図１６】
2017186133.tif 000018
【図１７】
2017186133.tif 000019
【図１８】
2017186133.tif 000020
【図１９】
2017186133.tif 000021
【図２０】
2017186133.tif 000022
【図２１】
2017186133.tif 000023
【図２２】
2017186133.tif 000024
【図２３】
2017186133.tif 000025
【図２４】
2017186133.tif 000026
【図２５】
2017186133.tif 000027
【図２６】
2017186133.tif 000028